(57)【要約】      （修正有）【課題】複数の発光エリアと光源ユニットの光源が互いに投射の邪魔になるのを避け、各光源の光学効果を維持し、使用上の安全性も併せて配慮した車のライトの構造を提供する。【解決手段】一つのライトケースモジュール１１及び一つの光源モジュール１２で構成する車のライトの構造であり、ライトケースモジュールは、設置スペース４を有する台座ユニット２と、ライトカバーユニット３を含む。台座ユニットは二つの発光エリア２０１及び、発光エリア間に位置する一つの組立エリア２０２を有する。光源モジュールは、組立エリアに組み立てる一つの枠台ユニット５及び、枠台ユニット内に設置する一つの光源ユニット６を含む。枠台ユニットは、光源ユニットの相反する両サイドを挟持し、且つ光を透過しない二つのボード５１を含む。複数のボードにより光源ユニットと台座ユニットの発光エリアの間を分けることで、複数の発光エリアの光線は光源ユニットに投射することができない。【選択図】図２
0003201360.tif 000002
【実用新案登録請求の範囲】
【請求項１】
一つのライトケースモジュールと一つの光源モジュールを含み、
該ライトケースモジュールは互いに接続する一つの台座ユニットと一つのライトカバーユニット及び該台座ユニットと該ライトカバーユニットが共に作り出した一つの設置スペースを含み、該台座ユニットは該ライトカバーユニットに向けて光線を投射する二つの発光エリア及び、複数の発光エリアの間に位置する一つの組立エリアを具有し、及び、
該光源モジュールに含まれるのは、該組立エリアに組み立てる一つの枠台ユニット及び、該枠台ユニット内に設置し、且つ該ライトカバーユニット３に向けて光線を投射する一つの光源ユニットを含み、
枠台ユニットに含まれるのは、互いに間隔を開けて且つ該光源ユニットの相反する両サイドを挟持し、且つ光を透過しない二つのボードであり、該複数のボードにより該光源ユニットと該台座ユニットの発光エリアを分けることで、該複数の発光エリアの光線が該光源ユニットに投射できないことを特徴とする車のライトの構造。
【請求項２】
前記光源ユニットに含まれるのは、二つの第一導光部品、該複数の第一導光部品の間に位置する一つの第二導光部品、該複数の第一導光部品と該第二導光部品の片側に設置する一つのライトボード、該ライトボードに設置し、且つ該複数の第一導光部品に向けて光線を投射する複数の第一光源部品セット及び、該ライトボードに設置し、且つ該第二導光部品に向けて光線を投射できる複数の第二光源部品セットであり、
該複数のボードにより、該複数の発光エリアの光線が該複数の第一導光部品と該第二導光部品に投射することができないことを特徴とする請求項１に記載の車のライトの構造。
【請求項３】
前記各ボードに一つの平坦部及び互いに間隔を開けて、それぞれ該平坦部より外向けに突出する二つの遮断部を具有し、
該複数のボードの平坦部は互いに間隔を開け、該複数のボードの遮断部は互いに接続して一つのルートを形成し、該第二導光部品と該複数の第二光源部品セットは該ルート内に位置し、
該複数の遮断部により、該複数の第一光源部品セットの光線が該第二導光部品まで投射することができず、該複数の遮断部により、該複数の第二光源部品セットの光線が該複数の第一導光部品まで投射することができないことを特徴とする請求項２に記載の車のライトの構造。
【請求項４】
前記各第一導光部品は、該ライトカバーユニットに向ける一つの第一出光面及び該ライトボードに向く一つの第一入光面を具有し、各一つの第一入光面は該ライトボードに向ける複数の凸出エリア及び、それぞれ該複数の凸出エリアの該ライトボードに近い一端に凹設する複数のライトホールを具有し、
該複数の第一導光部品の該複数のライトホールはそれぞれ該複数の第一光源部品セットを対応することを特徴とする請求項２に記載の車のライトの構造。
【請求項５】
前記第二導光部品は、該ライトカバーユニットに向く一つの第二出光面及び、該ライトボードに向く一つの第二入光面を具有し、該第二入光面は該ライトボードに向けた複数の凸出エリア及び、それぞれ該複数の凸出エリアの該ライトボードに近い一端に凹設する複数のライトホールを具有し、
該第二導光部品の該複数のライトホールはそれぞれ該複数の第二光源部品セットを対応することを特徴とする請求項２に記載の車のライトの構造。
【請求項６】
前記第二導光部品の第二出光面は階段状を呈し、且つ該第二出光面は互いに間隔を開け、且つそれぞれ該ライトカバーユニットに向けた凸円弧状の複数の出光面部及び、それぞれ該複数の出光面部の間を接続する複数の連接面部を具有することを特徴とする請求項５に記載の車のライトの構造。
【請求項７】
本考案に更に該複数のボードを該組立エリアの一つの結合構造に設置するのを含み、該結合構造に含まれるのは該組立エリアと該複数のボードのうち一つに設置する複数のラッチ凸部及び、該組立エリアと該複数のボードの上記の別の一つに設置し、且つそれぞれ該複数のラッチ凸部とラッチする複数のラッチ凹部を具有することを特徴とする請求項１に記載の車のライトの構造。
【請求項８】
前記光源ユニットは更に該複数の第一導光部品を該複数のボードに設置する一つの第一結合ユニットを含み、該第一結合ユニットは該複数の第一導光部品と該複数のボードのうち一つに設置する複数の第一凸部及び、該複数の第一導光部品と該複数のボードの上記の別の一つに設置し、且つそれぞれ該複数の第一凸部とラッチする複数の第一凹部を具有することを特徴とする請求項２に記載の車のライトの構造。
【請求項９】
前記光源ユニットは更に該第二導光部品を該複数のボードに設置する一つの第二結合ユニットを含み、該第二結合ユニットは該第二導光部品と該複数のボードのうち一つに設置する複数の第二凸部及び、該第二導光部品と該複数のボードの上記の別の一つに設置し、且つそれぞれ該複数の第二凸部とラッチする複数の第二凹部を具有することを特徴とする請求項２に記載の車のライトの構造。
【請求項１０】
前記光源ユニットは更に該ライトボードを該複数のボードに設置する第三結合ユニットを含み、該第三結合ユニットは該ライトボードと該複数のボードのうち一つに設置する複数の第三凸部及び、該ライトボードと該複数のボードの上記の別の一つに設置し、且つそれぞれ該複数の第三凸部とラッチする複数の第三凹部を具有することを特徴とする請求項２に記載の車のライトの構造。
【考案の詳細な説明】
【技術分野】
【０００１】
本考案は一つのライトの構造に関し、特に車両に設置して照明、警告を提示する車のライトの構造に関する。
【背景技術】
【０００２】
ＢＭＷのミニ(ＭＩＮＩ、ＢＭＷ ＭＩＮＩ)はイギリスの小型自動車のブランドである。つまりミニ仕様の起源がイギリスであるために、板金塗装、車輪枠、座席の外観、マット或いは車のライトなど、ＭＩＮＩ車種のデザインスピリッツは通常イギリスの要素を車体のデザインに応用される。その中で、車のライトは使用上、各光源の形、色彩には法規のニーズがあり、上記の原因に基づき、法規のニーズに合致し、且つイギリス要素を持つ車のライトでありながら、予定の光源の形や色などの光学効果を発するものを案出した。
【考案の概要】
【考案が解決しようとする課題】
【０００３】
前記公知構造の欠点を解決するため、本考案は斬新且つ使用上安全性のある車のライトの構造を提供することを主な課題とする。
【課題を解決するための手段】
【０００４】
本考案の車のライトに含まれるのは、一つのライトケースモジュール及び一つの光源モジュールである。
【０００５】
上述の目的を解決するために、本考案は車のライトの構造を提供するものである。該ライトケースモジュールは互いに接続する一つの台座ユニットと一つのライトカバーユニット及び該台座ユニットと該ライトカバーユニットが共に作り出した一つの設置スペースを含む。該台座ユニットは該ライトカバーユニットに向けて光線を投射する二つの発光エリア及び、複数の発光エリアの間に位置する一つの組立エリアを具有する。該光源モジュールに含まれるのは、該組立エリアに組み立てる一つの枠台ユニット及び、該枠台ユニット内に設置し、且つ該ライトカバーユニットに向けて光線を投射する一つの光源ユニットである。該枠台ユニットに含まれるのは、互いに間隔を開けて、且つ該光源ユニットの相反する両サイドを挟持し、且つ光を透過しない二つのボードであり、該複数のボードにより該光源ユニットと該台座ユニットの発光エリアを分けることで、該複数の発光エリアの光線が該光源ユニットに投射できない。
【０００６】
本考案の効果は、該複数のボードにより該光源ユニットと該台座ユニットの発光エリアを分けることで、該複数の発光エリアの光線が該光源ユニットに投射できない。前記の斬新な構造により、該複数の発光エリアの光源と該光源ユニットの光源が互いに投射の邪魔になるのを避けることで、該複数の発光エリアの光源と該光源ユニットの光源が予定する光源の形、色などの光学効果を維持することができ、使用上の安全性も併せて配慮する。
【考案の効果】
【０００７】
本考案は該複数のボードにより該光源ユニットと該台座ユニットの発光エリアの間を分けることで、該複数の発光エリアの光線が該光源ユニットに投射することができない。前記の設計により、該複数の発光エリアと該光源ユニットの光源が互いに投射の邪魔になるのを避けることができ、各自の光源を予定する光学効果を維持し、使用上の安全性も併せて配慮する。
【図面の簡単な説明】
【０００８】
【図１】本考案の一つの実施例の一つの立体組立図である。
【図２】該実施例の一つの側視略図である。
【図３】該実施例の一つの立体分解図である。該実施例の一つのライトケースモジュールの一つの台座ユニットと一つのライトカバーユニットの対応関係を示す。
【図４】該実施例の一つの不完全な立体分解図である。該実施例の一つの光源モジュールと該台座ユニットの対応関係を示す。
【図５】該光源モジュールの一つの立体分解図である。
【図６】該光源モジュールの一つの俯瞰断面略図である。
【図７】該光源モジュールの一つの側視断面略図である。主に該光源モジュールの第一導光部品と二つのボードとの関係を示す。
【図８】該光源モジュールの一つの側視断面略図である。主に該光源モジュールの一つの第二導光部品と複数のボードとの関係を示す。
【考案を実施するための形態】
【０００９】
以下、本考案の構造と特徴および効果を、最良実施例と図面を参照しながら詳細に説明する。類似の部品は相同の番号で示す。
【実施例】
【００１０】
図１、図２及び図３は本考案の車のライト１の一つの実施例である。それに含まれるのは一つのライトケースモジュール１１、一つの光源モジュール１２及び一つの該光源モジュール１２を該ライトケースモジュール１１に組み立てる結合構造１３である。
【００１１】
図２、図３及び図４に示すように、該ライトケースモジュール１１は互いに接続する一つの台座ユニット２と一つのライトカバーユニット３及び該台座ユニット２と該ライトカバーユニット３が共に作り出した一つの設置スペース４を含む。図２、図３に示すように、該台座ユニット２は該ライトカバーユニット３に向けて光線を投射する二つの発光エリア２０１及び、複数の発光エリア２０１の間に位置する一つの組立エリア２０２を具有する。
【００１２】
本実施例において、該台座ユニット２は尚も該ライトカバーユニット３と接続する一つのケース本体２１、該ケース本体２１内に設置する一つのキャリーボード２２及び該キャリーボード２２に設置する一つの光源セット２３を具有する。
【００１３】
図４に示すように、本実施例のキャリーボード２２は主に複数枚のプレートを用いて該ケース本体２１で組み合わせて構成するものである。実施する上で、該キャリーボード２２は一つの完全なるプレートとすることもでき、制限されない。該ケース本体２１に組み合わせた後、該キャリーボード２２は上下に間隔を開けて設置する二つの第一組立部位２２１及び、該複数の第一組立部位２２１の間に位置する一つの組立部位２２２を具有する。
【００１４】
図３及び図４に示すように、該光源セット２３はそれぞれ複数の第一組立部位２２１に設置する複数個の基板２３１及び、該基板２３１に設置し、且つ該ライトカバーユニット３に光線を投射する複数の発光部品２３２を具有する。該複数の発光部品２３２は具体的に発光ダイオード(ＬＥＤ)とすることができる。
【００１５】
つまり、該台座ユニット２の複数の発光エリア２０１は、本実施例では、該キャリーボード２２の第一組立部位２２１及び該光源セット２３で構成する。該台座ユニット２の該組立エリア２０２は、本実施例では該キャリーボード２２の第二組立部位２２２で構成する。
【００１６】
該台座ユニット２の具体的な構成は本考案のポイントではない。つまり、該台座ユニット２は該複数の発光エリア２０１及び該組立エリア２０２を具有すればよい。該発光エリア２０１及び該組立エリア２０２を構成する具体的な部品及び結合方法は、本考案にて表示する形式に限られない。
【００１７】
図２、図３及び図４に示すように、該ライトカバーユニット３は、該ケース本体２１と接続して共に作り出した設置スペース４の一つの外蓋３１と、それぞれ設置スペース内に位置し、且つそれぞれ該複数の発光エリア２０１の前に対応して位置する二つの内蓋３２及び、それぞれ該複数の内蓋３２に設置し、該外蓋３１の片側に面する二つの反射ボード３３を具有する。
【００１８】
本実施例において、該外蓋３１は複数個の第一凸出部位３１１を具有し、前記第一凸出部位３１１の配列はイギリス国旗の図案を構成する。該複数の内蓋３２はそれぞれ該外蓋３１の上半部と下半部の後方に対応し、各一つの内蓋３２は、第一凸出部位３１１に対応して突出する複数個の第二凸出部位３２１を具有する。該ライトケースモジュール１１の光源セット２３の発光部品２３２はそれぞれ該複数の第二凸出部位３２１の位置に対応して設置する。
【００１９】
図３、図４及び図５に示すように、該光源モジュール１２に含まれるのは、該組立エリア２０２に組み立てる一つの枠台ユニット５、該枠台ユニット５内に設置し、且つ該ライトカバーユニット３に向けて光線を投射する一つの光源ユニット６である。該光源ユニット６を該枠台ユニット５の一つの第一結合ユニット６６、一つの第二結合ユニット６７及び一つの第三結合ユニット６８に組み立てる。
【００２０】
図５、図６及び図７に示すように、該枠台ユニット５に含まれるのは、互いに間隔を開けて、且つ光を透過しない二つのボード５１及び、該複数のボード５１の間を支える複数の支柱５２である。本実施例において、該複数の支柱５２は一体成型にうち一つのボード５１に設置し、且つ複数個のネジを用いて別のボードと螺接して結合することができる。
【００２１】
各ボード５１に一つの平坦部５１１及び互いに間隔を開けて、それぞれ該平坦部５１１より別の一つのボード５１に向け、外向けに突出する二つの遮断部を具有する。該複数のボード５１の平坦部５１１は互いに間隔を開けて、且つ該光源ユニット６の相反する両サイドを挟持し、該複数のボード５１の遮断部５１２は互いに接続して一つのルート５１３を形成する。
【００２２】
図２、図３及び図７に示すように、該複数のボード５１により該光源ユニット６と該台座ユニット２の発光エリア２０１を分けることで、該複数の発光エリア２０１の光線が該光源ユニット６に投射できない。
【００２３】
図５、図６及び図７に示すように、該光源ユニット６に含まれるのは、二つの第一導光部品６１、該複数の第一導光部品６１の間に位置する一つの第二導光部品６２、該複数の第一導光部品６１と該第二導光部品６２の片側に設置する一つのライトボード６２、該ライトボード６３に設置し、且つ該複数の第一導光部品６１に向けて光線を投射する複数の第一光源部品セット６４及び、該ライトボード６３に設置し、且つ該第二導光部品６２に向けて光線を投射できる複数の第二光源部品セット６５である。
【００２４】
図２、図３及び図７に示すように、該複数のボード５１により、該複数の発光エリア２０１の光線が該複数の第一導光部品６１と該第二導光部品６２に投射することができない。
【００２５】
図５、図６及び図７に示すように、各第一導光部品６１は、該ライトカバーユニット３(図２、図３を参照)に向ける一つのノコギリ状の第一出光面６１１と、該ライトボード６３に向く一つの第一入光面６１２、及び該第一出光面６１１と該第一入光面６１２との間を接続する一つの第一側面６１３を具有する。
【００２６】
各一つの第一入光面６１２は該ライトボード６３に向ける複数の凸出エリア６１４及び、それぞれ該複数の凸出エリア６１４の該ライトボード６３に近い一端に凹設する複数のライトホールを具有する。該複数の第一導光部品６１の該複数のライトホール６１５はそれぞれ該複数の第一光源部品セット６４を対応する。
【００２７】
図５、図６及び図８に示すように、該第二導光部品６２は該複数の第二光源部品セット６５と該ルート５１３内に位置する。該第二導光部品６２は、該ライトカバーユニット３(図２、図３を参照)に向く一つの第二出光面６２１と、該ライトボード６３に向く一つの第二入光面６２２及び、該第二出光面６２１と該第二入光面６２２との間を接続する一つの第二側面６２３を具有する。
【００２８】
該第二出光面６２１は階段状を呈し、且つ該第二出光面６２１は互いに間隔を開け、且つそれぞれ該ライトカバーユニット３(図２、図３を参照)に向けた凸円弧状の複数の出光面部６２４及び、それぞれ該複数の出光面部６２４の間を接続する複数の連接面部６２５を具有する。
【００２９】
該第二入光面６２２は該ライトボード６３に向けた複数の凸出エリア６２６及び、それぞれ該複数の凸出エリア６２６の該ライトボード６３に近い一端に凹設する複数のライトホールを具有する。該第二導光部品６２の該複数のライトホールはそれぞれ該複数の第二光源部品セット６５を対応する。
【００３０】
図４、図５及び図６に示すように、該複数の遮断部５１２により、該複数の第一光源部品セット６４の光線が該第二導光部品６２まで投射することができない。該複数の遮断部５１２により、該複数の第二光源部品セット６５の光線が該複数の第一導光部品６１まで投射することができない。
【００３１】
本実施例において、各一つの第一光源部品セット６４は、該ライトボード６３に設置する二つの第一光源部品を具有する。各一つの第二光源部品セット６５は、該ライトボード６３に設置する一つの第二光源部品を具有する。該複数の第一光源部品と該複数の第二光源部品は具体的に発光ダイオード(ＬＥＤ)とすることができる。
【００３２】
図４、図５及び図７に示すように、該第一結合ユニット６６は、該複数の第一導光部品６１を該複数のボード５１に組み立てる際に使用する。該第一結合ユニット６６は該複数の第一導光部品６１と該複数のボード５１のうち一つに設置する複数の第一凸部661及び、該複数の第一導光部品６１と該複数のボード５１の上記の別の一つに設置し、且つそれぞれ該複数の第一凸部６６１とラッチする複数の第一凹部６６２を具有する。
【００３３】
本実施例において、該複数の第一凸部６６１は全て該複数の第一導光部品６１の第一側面６１３に設置し、該複数の第一凹部６６２は貫通穴の形で全て該複数のボード５１の平坦部５１１に設置する。実施する際に、該複数の第一凸部６６１が該複数の第一凹部６６２とラッチさせれば、該複数の第一導光部品６１を該複数のボード５１と組み合わせることができる。もちろん同時に該複数の第一凸部６６１をそれぞれ該複数の第一導光部品６１と該複数のボード５１に設置することができる。該複数の第一凹部６６２も該複数の第一導光部品６１と該複数のボード５１と対応した位置に設置する。
【００３４】
図４、図５及び図８に示すように、該第二結合ユニット６７は、該第二導光部品６２を該複数のボード５１に組み立てる際に使用する。該第二結合ユニット６７は該第二導光部品６２と該複数のボード５１のうち一つに設置する複数の第二凸部6７１及び、該第二導光部品６２と該複数のボード５１の上記の別の一つに設置し、且つそれぞれ該複数の第二凸部６７１とラッチする複数の第二凹部６７２を具有する。
【００３５】
本実施例において、該複数の第二凸部６７１は全て該第二導光部品６２の第二側面６２３に設置し、該複数の第二凹部６７２はめくら穴の形で全て該複数のボード５１の平坦部５１１に設置する。実施する際に、該複数の第二凸部６７１が該複数の第二凹部６７２とラッチさせれば、該第二導光部品６２を該複数のボード５１と組み合わせることができる。もちろん同時に該複数の第二凸部６７１をそれぞれ該第二導光部品６２と該複数のボード５１に設置することができる。該複数の第二凹部６７２も該第二導光部品６２と該複数のボード５１と対応した位置に設置する。
【００３６】
図４、図５及び図７に示すように、該第三結合ユニット６８は、該ライトボード６３を該複数のボード５１に組み立てる際に使用する。該第三結合ユニット６８は該ライトボード６３と該複数のボード５１のうち一つに設置する複数の第三凸部６８１及び、該ライトボード６３と該複数のボード５１の上記の別の一つに設置し、且つそれぞれ該複数の第三凸部６８１とラッチする複数の第三凹部６８２を具有する。
【００３７】
本実施例において、該複数の第三凸部６８１は全て該ライトボード６３に設置し、該複数の第三凹部６８２は貫通穴の形で全て該複数のボード５１の平坦部５１１に設置する。実施する際に、該複数の第三凸部６８１が該複数の第三凹部６８２とラッチさせれば、該ライトボード６３を該複数のボード５１と組み合わせることができる。もちろん同時に該複数の第三凸部６８１をそれぞれ該ライトボード６３と該複数のボード５１に設置することができる。該複数の第三凹部６８２も該ライトボード６３と該複数のボード５１と対応した位置に設置する。
【００３８】
図２、図３、図４及び図５に示すように、該結合構造１３は該複数のボード５１を該組立エリア２０２(即ち該キャリーボード２２の第二組立部位２２２)に組み立てる際に使用する。該結合構造１３に含まれるのは該組立エリア２０２と該複数のボード５１のうち一つに設置する複数のラッチ凸部１３１及び、該組立エリア２０２と該複数のボード５１の上記の別の一つに設置し、且つそれぞれ該複数のラッチ凸部１３１とラッチする複数のラッチ凹部１３２を具有する。
【００３９】
本実施例において、該複数のラッチ凸部１３１は全て該複数のボード５１の平坦部５１１の後方に設置し、該複数のラッチ凹部１３２は全て該キャリーボード２２の第二組立部位２２２に設置する。その中で、下方に位置する幾つかの該複数のラッチ凹部１３２は貫通穴の形であり、上方に位置する幾つかの複数のラッチ凹部１３２は溝の形である。
【００４０】
実施する際に、該複数のラッチ凸部１３１が該複数のラッチ凹部１３２とラッチさせれば、該複数のボード５１を該組立エリア２０２に組み合わせることができる。もちろん同時に該複数のラッチ凸部１３１をそれぞれ該組立エリア２０２と該複数のボード５１に設置することができる。該複数のラッチ凹部１３２も該組立エリア２０２と該複数のボード５１と対応した位置に設置する。
【００４１】
図４、図５及び図６に示すように、本実施例の光源モジュール１２を組み立てる際、まず該光源ユニット６を該第一結合ユニット６６、該第二結合ユニット６７及び該第三結合ユニット６８を通じて、下方に位置するボード５１に組み立てる。続いて更に上方に位置するボード５１を該光源ユニット６に蓋設し、且つ該第一結合ユニット６６、該第二結合ユニット６７及び該第三結合ユニット６８を通じて一緒に組み立てる。
【００４２】
図５、図６、図７及び図８に示すように、具体的に該複数の第一導光部品６１をそれぞれ下方に位置するボード５１の平坦部５１１の上に置き、且つ前記下方に位置するボード５１の該複数の遮断部５１２の左右外側に置き、また、該複数の第一導光部品６１の下方にある第一凸部６６１を該ボード５１の第一凹部６６２に差し込む。該第二導光部品６２を下方に位置するボード５１の平坦部５１１の上に置き、且つ前記下方に位置するボード５１の遮断部５１２の間に置き、また、該第二導光部品６２の下方にある第二凸部６７１を該ボード５１の第二凹部６７２に差し込む。該ライトボード６３を下方に位置するボード５１の平坦部５１１の上に置き、且つ該複数の第一導光部品６１の第一入光面６１２と該第二導光部品６２の第二入光面６２２の近くにあり、また、該ライトボード６３の下方にある第三凸部６８１を該ボード５１の第三凹部６８２に差し込む。この時、該ライトボード６３にある第一光源部品セット６４をそれぞれ該複数の第一導光部品６１の第一入光面６１２のライトホール６１５に対応して向き、該ライトボード６３の第二光源部品セット６５はそれぞれ該第二導光部品６２の第二入光面６２２のライトホール６２７に対応して向く。
【００４３】
最後に、別の一つのボード５１を該複数の第一導光部品６１、該第二導光部品６２、該ライトボード６３及び該複数の支柱５２に蓋設することで、該複数の第一導光部品６１の上方にある第一凸部６６１を該ボード５１にある第一凹部６６２に差し込み、該第二導光部品６２の上方にある第二凸部６７１を該ボード５１にある第二凹部６７２に差し込み、該ライトボード６３の上方にある第三凸部６８１を該ボード５１にある第三凹部６８２に差し込む。そして、更にネジにより該ボード５１を該複数の支柱５２と螺接して結合すれば組立が完成する。この時、該第二導光部品６２を該複数のボード５１の遮断部５１２を互いに合わせることで形成する該ルート５１３内に嵌合する。
【００４４】
図２、図４及び図５に示すように、該結合構造１３を通じて該光源ユニット６を該台座ユニット２に組み立てる方法としては、まず、下方のボード５１にあるラッチ凸部１３１を該台座ユニット２の組立エリア２０２の下側にあるラッチ凹部１３２に差し込む。次に、上方のボード５１にあるラッチ凸部１３１を該台座ユニット２の組立エリア２０２の上側にあるラッチ凹部１３２に差し込むと組立が完成する。最良実施例としては、更に数個のネジを使って、上方のボード５１にあるラッチ凸部１３１を該台座ユニット２の組立エリア２０２に螺接することができる。
【００４５】
図１、図３及び図４に示すように、該光源セット２３を該キャリーボード２２の第一組立部位２２１に組み立てた後、更に順に該ライトカバーユニット３の内蓋３２と外蓋３１を該台座ユニット２のケース本体２１に蓋設すれば、本考案の車のライト１の組立が完成する。
【００４６】
図４、図５、図７及び図８を参照し、上記の説明で分かるように、該第一結合ユニット６６、該第二結合ユニット６７及び該第三結合ユニット６８を通じて、該光源ユニット６を該枠台ユニット５のボード５１の間に組み立てる。前記構造を組み立てるのは確実に簡単、便利更に安定する。組み立てた後は該光源モジュールを構成する。前記のモジュール化設計により、体積を縮小してスペースの利用率を上げるだけでなく、該結合構造１３を通じて直接該台座ユニット２の組立エリア２０２に設置することもできるため、組み立てる際には同じく簡単、便利且つ安定する。
【００４７】
図３、図４及び図５に示すように、別途本実施例のライトカバーユニット３の外蓋３１の第一凸出部位３１１で英国国旗の図案を配列する。該台座ユニット２の光源セット２３を該キャリーボード２２の該複数の第二組立部位２２２に設置することで該複数の発光エリア２０１を構成する。本実施例では、該複数の発光エリア２０１は主にハイビーム或いはロービームの照明を提供するものであり、且つ該複数の発光エリア２０１はそれぞれ光線を該複数の内蓋３２に投射したあと、光線は更に該外蓋３１の上下部位から外に向かって射出する。本実施例の光源モジュール１２は、該複数の発光エリア２０１の間の組立エリア２０２に設置し、該光源モジュール１２の光は、直接該外蓋３１に投射してから外に向かって射出する。
【００４８】
図３、図５、図６及び図７を参照し、更に説明すると、該光源ユニット６の第一導光部品６１と第一光源部品セット６４で構成する発光グループは、本実施例ではブレーキランプ及びウィンカーに使用する。詳しく説明すると、該複数の第一光源部品セット６４はそれぞれ該複数の第一導光部品６１の第一入光面６１２のライトホール６１５に光線を投射し、該光線は更に該複数の第一導光部品６１の第一出光面６１１より該外蓋３１に向かって投射する。また、各一つの第一光源部品セット６４は二つの第一光源部品を具有する。うち一つの第一光源部品は、ブレーキをかけた時に起動し、第一導光部品６１とブレーキランプを構成する。別の一つの第一光源部品は、右左折する際に起動し、第一導光部品６１と共にウィンカーを構成する。
【００４９】
図３、図５、図６及び図８に示すように、該光源ユニット６の第二導光部品６２と第二光源部品セット６５で別の一つの発光グループを構成し、本実施例では車をバックする際のバックランプに使用する。詳しく説明すると、該複数の第二光源部品セット６５はそれぞれ該第二導光部品６２の第二入光面６２２のライトホール６２７に光線を投射し、該光線は更に該第二導光部品６２の第二出光面６２１より該外蓋３１に向かって投射する。該複数の第二光源部品セット６５は車をバックする際に起動し、該第二導光部品６２と共にブレーキランプ光源を構成する。
【００５０】
車のライト１の光源は法規上で一定の規範があるため、異なる用途の光源が互いに投射の邪魔になるのを避けるために、本考案では、該複数の遮断部５１２により該複数の第一光源部品セット６４の光線が該第二導光部品６２にまで投射できない。該複数の遮断部５１２により該複数の第二光源部品セット６５の光線が該複数の第一導光部品６１まで投射できない。また、該複数のボード５１により該光源ユニット６と該台座ユニット２の発光エリア２０１を分けることで、該複数の発光エリア２０１の光線が該光源ユニット６に投射できないようにした。それにより該複数の発光エリア２０１のハイビーム光源及びロービーム光源、該複数の第一導光部品６１と該複数の第一光源部品セット６４が構成するブレーキランプとウィンカー及び、該第二導光部品６２と該複数の第二光源部品セット６５が構成するバックランプ光源は、前記の各種光源により予定する光源の形、色などの光学効果を維持することができ、使用上の安全性も併せて配慮する。
【００５１】
図２、図３及び図８に示すように、最後に補充するのは、該外蓋３１中央にある凸円弧の構造に応じるために、本実施例の第二導光部品６２は、上から下方向に前に凸出する。また、光線が直線状に該外蓋３１の中央から射出できるよう、本実施例では、該第二導光部品６２の第二出光面６２１を階段状に設計し、該外蓋３１に向けて凸円弧の造形にすることで、該第二出光面６２１の出光面部６２４が互いに間隔を開けて、且つそれぞれ上から下に向かって、該外蓋３１に近づき、それにより光線がフラット状に該外蓋３１に向かって投射する。
【００５２】
図２、図３、図４及び図５に示すように、前記をまとめると、本考案は該複数のボード５１により該光源ユニット６と該台座ユニット２の発光エリア２０１を分けることで、該複数の発光エリア２０１の光線が該光源ユニット６に投射できない斬新な構造により、該複数の発光エリア２０１の光源と該光源ユニット６の光源が互いに投射の邪魔になるのを避けることができ、それによって該複数の発光エリア２０１の光源と該光源ユニット６の光源が予定の光源の形、色などの光学効果を維持することができ、使用上の安全性も併せて配慮する。
【００５３】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００５４】
１    車のライト
１１    ライトケースモジュール
１２    光源モジュール
１３    結合構造
１３１    ラッチ凸部
１３２    ラッチ凹部
２    台座ユニット
２０１    発光エリア
２０２    組立エリア
２１    ケース本体
２２    キャリーボード
２２１    第一組立部位
２２２    第二組立部位
２３    光源セット
２３１    基板
２３２    発光部品
３    ライトカバーユニット
３１    外蓋
３１１    第一凸出部位
３２    内蓋
３２１    第二凸出部位
３３    反射ボード
４    設置スペース
５    枠台ユニット
５１    ボード
５１１    平坦部
５１２    遮断部
５１３    ルート
５２    支柱
６    光源ユニット
６１    第一導光部品
６１１    第一出光面
６１２    第一入光面
６１３    第一側面
６１４    凸出エリア
６１５    ライトホール
６２    第二導光部品
６２１    第二出光面
６２２    第二入光面
６２３    第二側面
６２４    出光面部
６２５    連接面部
６２６    凸出エリア
６２７    ライトホール
６３    ライトボード
６４    第一光源部品セット
６５    第二光源部品セット
６６    第一結合ユニット
６６１    第一凸部
６６２    第一凹部
６７    第二結合ユニット
６７１    第二凸部
６７２    第二凹部
６８    第三結合ユニット
６８１    第三凸部
６８２    第三凹部
【図１】
0003201360.tif 000003
【図２】
0003201360.tif 000004
【図３】
0003201360.tif 000005
【図４】
0003201360.tif 000006
【図５】
0003201360.tif 000007
【図６】
0003201360.tif 000008
【図７】
0003201360.tif 000009
【図８】
0003201360.tif 000010